(57)【要約】  装置（４０）は、負荷（Ｃｏｕｔ，ＲＬ）に接続する出力部（４１）を有する多段チャージポンプ（１０）を具える。チャージポンプ（１０）は、チャージポンプ（１０）の電源電圧（Ｖｄｄ）の約ｍ倍の出力電圧（Ｖｏｕｔ）を出力部（４１）に発生するためにｍ外部段コンデンサ（Ｃ）を充電及び放電するｍ個の利得段を具える。充電及び放電は、スイッチング周波数（ｆｏｓｃ）を有するスイッチング信号によって制御されるチャージポンプ（１０）の内側のスイッチによって影響が及ぼされる。外部基準コンデンサ（Ｃｒｅｆ）の値の温度に起因する変化を監視する監視回路（２０）を設ける。さらに、ｍ外部段コンデンサ（Ｃ）の値の変化によって生じたチャージポンプ（１０）の利得の変動を補償するために、スイッチング周波数（ｆｏｓｃ）を調整する手段（３０）を用いる。
2008527956.tif 000002
【特許請求の範囲】
【請求項１】
負荷（Ｃｏｕｔ，ＲＬ）に接続する出力部（４１）を有し、ｍを１より大きい整数とした場合にｍ個の外部段コンデンサを有するｍ個の利得段を具え、電源電圧（Ｖｄｄ）のほぼｍ倍の出力電圧（Ｖｏｕｔ）を前記出力部（４１）に発生するために前記外部段コンデンサ（Ｃ）を充電及び放電し、前記放電が、スイッチング周波数（ｆｏｓｃ）を有するスイッチング信号によって制御されるスイッチによって影響が及ぼされる多段のチャージポンプ（１０）と、
少なくとも一つの外部基準コンデンサ（Ｃｒｅｆ）と、
前記外部基準キャパシタ（Ｃｒｅｆ）の値の温度に起因する変化を監視する監視回路（２０）と、
前記ｍ個の外部段コンデンサ（Ｃ）の値の変化によって生じた前記チャージポンプ（１０）の利得の変動を補償するために前記スイッチング周波数（ｆｏｓｃ）を調整する手段（３０）とを具える装置（４０）。
【請求項２】
請求項１記載の装置（４０）において、
前記監視回路（２０）が、
複数のコンパレータ（１２．１〜１２．３）と、
複数の直列の抵抗（Ｒ）と、
カウンタ（１１）と、
前記カウンタ（１１）によって制御可能なスイッチ（Ｓｍｅｓｓ，Ｓｌｏａｄ）とを具えることを特徴とする装置（４０）。
【請求項３】
請求項２記載の装置（４０）において、前記カウンタ（１１）は、前記監視回路（２０）を時々測定モードに切り替えることを特徴とする装置（４０）。
【請求項４】
請求項３記載の装置（４０）において、前記測定モード中、前記監視回路（２０）は、前記外部基準コンデンサ（Ｃｒｅｆ）間の電圧降下（ΔＶｍｅｓｓ）を監視するとともに服すビットの出力（ｂ０，ｂ１，ｂ２）を発生し、これによって前記出力（ｂ０，ｂ１，ｂ２）が前記電圧降下（ΔＶｍｅｓｓ）に依存することを特徴とする装置（４０）。
【請求項５】
請求項４記載の装置（４０）において、前記スイッチング周波数（ｆｏｓｃ）を調整する手段（３０）が、デコーダ（１７）及び調整可能な発振器（１８）を具え、前記デコーダ（１７）を、前記出力（ｂ０，ｂ１，ｂ２）を処理するとともに前記発振器（１８）によって前記スイッチング周波数（ｆｏｓｃ）を調整する信号を発生するように設計したことを特徴とする装置（４０）。
【請求項６】
請求項１記載の装置（４０）において、前記監視回路（２０）が、電流源（１６）、好適には調整可能又はプログラム可能な電流源を具えることを特徴とする装置（４０）。
【請求項７】
請求項１から６のうちのいずれか１項に記載の装置（４０）において、前記スイッチをＭＯＳＦＥＴスイッチとしたことを特徴とする装置（４０）。
【請求項８】
請求項１から６のうちのいずれか１項に記載の装置（４０）において、前記チャージポンプ（１０）が、複数のダイオード接続したＭＯＳＦＥＴ又はＭＯＳＦＥＴスイッチを具えることを特徴とする装置（４０）。
【請求項９】
請求項８記載の装置（４０）において、前記チャージポンプ（１０）を、Dicksonチャージポンプ又はDicksonの原理に基づくチャージポンプとしたことを特徴とする請求項８記載の装置（４０）。
【発明の詳細な説明】
【技術分野】
【０００１】
本発明は、外部コンデンサを有するチャージポンプを具える装置に関する。
【背景技術】
【０００２】
多数の集積回路において、チャージポンプが必要とされる。チャージポンプは、典型的には電源電圧の約ｍ倍（ｍ＝２，３，４，．．．）の出力電圧を発生するために用いられる。
【０００３】
従来、十分に集積された形態のDicksonチャージポンプは、ｍ段コンデンサ（Ｃ）を用いる場合、電源電圧（Ｖｄｄ）にｍの因子を乗算する。外部段コンデンサＣは、例えば約９５％の範囲の高電力効率を得ることができるようにするために必要とされる。温度依存性を示す外部コンデンサを用いるときに不都合がある。コンデンサの値が温度と共に変化するだけでなく、コンデンサの直流リーク電流も温度によって影響が及ぼされる。高品質コンデンサに対して、値は、−５５℃〜＋８５℃の温度範囲に亘って±１０％変化する。低コストのコンデンサに対して、温度依存性は典型的には高い。これによって、Dicksonチャージポンプの利得が温度の低下とともに減少し、チャージポンプの電力効率も減少する。
【０００４】
多数のアプリケーションにおいて、電源より高い電圧が頻繁に要求される。既に説明したように、容量性負荷として作用する外部コンデンサに電荷を移動させる結果、チャージポンプの電圧レベルが増大する。チャージポンプは、通常、電荷移動に用いられる膳容量の理想的な範囲内で出力電力を増大するために高周波数レベルで動作する。この動作周波数は、電力要求の変化を補償するとともにチャージポンプに供給されるエネルギーをセーブすることによって調整される。
【０００５】
チャージポンプ設計に対する多くの設計のうち、上記Dicksonチャージポンプの原理のようなスイッチドキャパシタ回路は、非常に一般的である。その理由は、スイッチドキャパシタ回路を、統合されたシステムの他の構成要素とともに同一チップで実現できるからである。図１において、従来のDicksonチャージポンプ１０の一例を示す。
【０００６】
Dicksonチャージポンプは、ＭＯＳトランジスタがダイオードＤ１〜Ｄ４（図１参照）の代わりにスイッチとして用いられる場合、これらＭＯＳＦＥＴスイッチをオンオフに切り替えることによって動作し、エネルギーを出力負荷に移動する複数の外部（段）コンデンサＣを充電し及び放電する。各段の利得ΔＶは、以下のように表現される。
【数１】
2008527956.tif 000003
【０００７】
これによって、ｍ段チャージポンプの出力電圧Ｖｏｕｔは、Ｃｏｕｔ及びＲＬによって表現される出力負荷のプリチャージ値Ｖｉｎが与えられる場合、以下の式で表現される。
【数２】
2008527956.tif 000004
【０００８】
ステージキャパシタＣが外部装置である場合、温度依存性Ｃ＝ｆ（Ｔ）を非常に高くすることができる。これは、例えば、低い温度ではＣの値を室温の値の半分にできることを意味する。これは、同一負荷電流条件（Ｉｏｕｔ）で利得ΔＶが減少することを意味する。これは、多くのアプリケーションにとって許容できない。
【０００９】
位相特性、電圧利得及び動力学的特性から開始して効率及び電力の向上を考察するチャージポンプの実現に関する種々の問題に焦点が当てられている。考えられる一つの重要な問題は、外部コンデンサが用いられる場合には上記温度依存性である。これまで、これら外部コンデンサの値の温度に起因する辺土を処理するために満足の行く解決が提案されていない。
【００１０】
従来のチャージポンプ回路は、固定されたスイッチング周波数を使用し、これによって、定格ローディングより小さいローディングに対して電力効率が低下する。設計の試みは、C-C.Wang et al., “Efficiency improvement in charge pump circuits”, IEEE Journal of Solid State Circuits, vol. 32, no. 6, pp.852-860, June 1997により文献に表されている。この文献によれば、負荷電流の要求が変化すると常にチャージポンプのスイッチング周波数を調整する特別な回路機構が提案されている。しかしながら、この文献は、温度に起因する影響を取り扱っていない。
【００１１】
上記観点において、本発明の目的は、温度の安定性が向上したチャージポンプを提供することである。
【００１２】
本発明の他の目的は、温度に起因する影響を補償することができるようチャージポンプと組み合わせて用いることができる装置を提供することである。
【発明の開示】
【００１３】
これまで説明した既知のシステムの不都合は、本発明によって軽減され又は除去される。
【００１４】
本発明による装置を請求項１に記載し、種々の好適例を請求項２〜９に記載する。
【００１５】
本発明は、外部段コンデンサの値の温度に起因する減少をチャージポンプのスイッチング周波数を増大することによって補償できるという認識に基づく。したがって、利得ΔＶをほぼ一定とみることができる。
【００１６】
本発明によれば、外部基準コンデンサを有する監視回路を具える装置を設ける。監視回路は、ｍ個の外部段コンデンサを有する多段チャージポンプと関連して用いられるように設計され、外部基準コンデンサは、多段チャージポンプの外部段コンデンサと同一の値を有する。この多段チャージポンプは、所望の出力電圧を出力段に生じさせるために外部段コンデンサを充電し及び放電する複数の利得段、したがって、多段チャージポンプを具える。所望の出力電圧は、チャージポンプの電源電圧より高くなる。充電及び放電は、チャージポンプ内のスイッチによって影響が及ぼされる。これらスイッチは、所定のスイッチング周波数を有するスイッチング信号によって制御される。外部基準コンデンサの値の温度に起因する変化を監視できるようにするために、上記モニタ回路が設けられる。さらに、ｍ個の外部コンデンサの値の変化によって生じたチャージポンプの利得の変動を補償するために、スイッチング周波数を調整する手段が用いられる。
【００１７】
本発明の他の特徴及び利点を以下説明し、その一部を説明から明らかにする。
【発明を実施するための最良の形態】
【００１８】
本発明並びにその目的及び利点を更に詳しく説明するために、添付図面に関連して以下の説明を参照されたい。
【００１９】
既に説明したように、Dicksonチャージポンプ１０の段ごとの利得ΔＶを以下のように表現することができる。
【数３】
2008527956.tif 000005
【００２０】
温度が低下するときに容量Ｃの値が低下する場合、利得ΔＶは、上記式（１）の第２項が大きくなるので減少する。これは、多くの用途に対して許容できない。このような温度に起因する利得の減少の補償を、スイッチング周波数を増大することによって行うことができる。スイッチング周波数ｆｏｓｃを増大することによって、減少した容量Ｃの値を補償することができる。完全を期すために、浮遊容量Ｃｓを上記式（１）に含める。
【００２１】
上記影響の能動的な補償を行うことができるようにするために、外部段のコンデンサＣの実際の容量を監視する必要がある。本発明によれば、ｍ個の外部段のコンデンサＣの一つ以上に依存する温度を監視する監視回路を提案する。これは、コンデンサの電圧への依存を無視できるので可能である。
【００２２】
本発明によるそのような監視回路２０の第１の実施の形態を、図２Ａに示す。図２Ａに示すように、監視回路２０は、カウンタ及び論理ブロック１１を具える。２個のスイッチＳｌｏａｄ及びＳｍｅｓｓが存在する。カウンタ及び論理ブロック１１は、スイッチング信号を出力部１１．１に発する。この信号は、このスイッチに近接するスイッチＳｍｅｓｓに供給される。スイッチＳｍｅｓｓが閉の時にスイッチＳｌｏａｄを開にするとともにスイッチＳｍｅｓｓが開の時にスイッチＳｌｏａｄを閉にするようスイッチング信号を反転するインバータ１５が存在する。入力側で外部の基準コンデンサ１３（Ｃ）に接続された複数のキャパシタ１２．１〜１２．３のバンクが存在する。この外部の基準キャパシタ１３（Ｃｒｅｆ）は、多段チャージポンプのステージコンデンサＣと同一の値を有する。電源Ｖｄｄとグランドとの間に位置する複数の同一の抵抗Ｒが存在する。これらの抵抗Ｒは、電源を等しい電圧に分圧する分圧器として作動する。抵抗Ｒの特別な配置をラダー抵抗と称する。外部の基準コンデンサ１３（Ｃｒｅｆ）の両端間の実際の電圧Ｖｃは、抵抗Ｒの両端間の異なる電圧と比較される。すなわち、３個のコンパレータ１２．１〜１２．３は、抵抗Ｒとともに３ビットデジタル−アナログコンバータとして作用する。これらコンパレータ１２．１〜１２．３の各々は、ｂ０，ｂ１，ｂ２を付した個別の出力を有する。これら三つの出力ラインｂ１，ｂ２，ｂ３は、図２Ｂに示すようにデコーダユニット１７に接続される。このデコーダユニット１７は、入力信号としてコンパレータ１２．１〜１２．３から受け取った３ビットワードを要し、発振器１８は、出力部１９のスイッチング周波数ｆｏｓｃを変更する。
【００２３】
式（１）に関連して説明したように、スイッチング周波数ｆｏｓｃによって、チャージポンプの利得に対する外部段のコンデンサ１３の値の減少の影響を補償することができる。
【００２４】
カウンタ及び論理ブロック１１は、図２Ａの２個のスイッチ及び図２ＢのスイッチＳｍｅｓｓを駆動する。図２ＡのスイッチＳｌｏａｄ及びＳｍｅｓｓは、抵抗Ｒ、３個のコンパレータ１２．１〜１２．３及び電流源１６とともに監視ユニット２０の主要な構成要素である。ここでは、デコーダ１７及び発振器１８を、スイッチング周波数ｆｏｓｃを調整する手段３０と称する。
【００２５】
多段チャージポンプの内側のステージ電圧及びチャージポンプの出力電圧の温度による影響が大抵の場合には緩慢であるので、外部の基準キャパシタＣｒｅｆの値の測定を１０秒後に行うことができる。図３に示すように、監視回路をｔｌ後にローディングモードから測定モードに切り替えることができるので、監視回路は、例えば１０秒間続くタイムアウト期間ｔｍ中に測定を行うことができる。タイムアウト期間ｔｍの後、監視回路１０はローディングモードに戻る。図３からわかるように、測定モードは、ローディングモードのごく一部である。
【００２６】
監視回路２０がローディングモードにある間、スイッチＳｌｏａｄが閉になるとともにスイッチＳｍｅｓｓが開となる。スイッチのこのような特別な設定のために、外部の基準キャパシタＣｒｅｆは、ノードの両端間の電圧Ｖｃが電源電圧Ｖｄｄに到達するまで充電される。高オームｐ型ＭＯＳＦＥＴをスイッチＳｌｏａｄとして用いる場合、外部の基準キャパシタＣｒｅｆを十分充電するための数秒間に数μＡのごく僅かな電流しか要しない。一旦、外部の基準コンデンサＣｒｅｆが十分充電されると、ノードの両端間の電圧Ｖｃは、（放電する負荷が存在しない場合には）Ｖｄｄに保持される。
【００２７】
監視回路２０は測定モードに切り替えられ、この場合、スイッチＳｌｏａｄが開になるとともにスイッチＳｍｅｓｓが閉になる。
【００２８】
タイムアウト期間ｔｍが固定される場合、最大の電圧効果ΔＶｍｅｓｓは、電流源１６から生じた電流Ｉ及び温度に起因する変化によって生じた外部の基準コンデンサＣｒｅｆの値のみに依存する。
【００２９】
これを実例によって説明するために図４Ａ〜４Ｄを参照されたい。図４Ａにおいて、温度Ｔが値Ｔ０を有する状況を示す。温度Ｔ０では外部の基準コンデンサＣｒｅｆの値の変化が小さく、電圧降下ΔＶｍｅｓｓは無視できる。すなわち、電圧Ｖｃは、図４Ａに示すようにＶ０まで少ししか減少しない。この場合、コンパレータ１２．１〜１２．３のいずれもトリガされず、出力側の３ビットワードは“０００”となる。
【００３０】
外部基準コンデンサＣｒｅｆの温度ＴがＴ１まで下がる場合、外部基準コンデンサＣｒｅｆの値が小さくなるとともに電圧降下ΔＶｍｅｓｓが顕著になる。これは、電圧Ｖｃが電圧Ｖｌまで低下することを意味する。この場合、第１コンパレータ１２．１がトリガされ、出力側の３ビットワードが“１００”になる。電圧Ｖｌを、第１コンパレータ１２．１のしきい値電圧とする。
【００３１】
温度が更に減少する（Ｔが温度Ｔ２（Ｔ２＜Ｔ１）に到達する）と、外部基準コンデンサＣｒｅｆの値が減少し続けるとともに電圧降下ΔＶｍｅｓｓが大きくなる。これを図４Ｃに示す。この場合、第１コンパレータ１２．１及び第２コンパレータ１２．２がトリガされ、出力側の３ビットワードは“１１０”となる。電圧Ｖ２を、第２コンパレータ１２．１のしきい値電圧とする。
【００３２】
図４Ｄにおいて、温度Ｔが非常に低い（Ｔが温度Ｔ３（Ｔ３＜Ｔ２＜Ｔ１）に到達する）極端な状況を示す。外部基準コンデンサＣｒｅｆの値は小さく、電圧降下ΔＶｍｅｓｓが大きくなる。この場合、三つ全てのコンパレータ１２．１〜１２．３がトリガされ、出力側の３ビットワードが“１１１”となる。電圧Ｖ３を、第３コンパレータ１２．３のしきい値電圧とする。
【００３３】
図４Ａ〜４Ｄの例は、監視回路２０の機能を詳細に説明できるようにするために状況を誇張し及び単純化している。
【００３４】
したがって、監視回路２０の出力側の３ビットワードは、外部基準キャパシタＣｒｅｆの実際の電圧降下ΔＶｍｅｓｓを表す。
【００３５】
本発明によれば、この電圧降下ΔＶｍｅｓｓは、スイッチング周波数ｆｏｓｃを調整することによって補償される。既に説明したように、スイッチング周波数ｆｏｓｃを調整する手段３０は、デコーダ１７及び発振器１８を具える。デコーダ１７は、３ビットワードを、スイッチＳｍｅｓｓが閉の場合に発振器１８に送信される信号に変換する。本実施の形態の発振器１８は、異なる４状態を仮定することができる。第１状態（１）において、スイッチング周波数ｆｏｓｃは、チャージポンプの規則的なスイッチング周波数となる。外部基準キャパシタＣｒｅｆの値への温度に起因する影響が増大すると、スイッチング周波数ｆｏｓｃも増大する。第２状態（２）のスイッチング周波数ｆｏｓｃは、第１状態（１）における場合よりも高く、第３状態（３）のスイッチング周波数ｆｏｓｃは、第２状態（２）における場合よりも高く、第４状態（４）のスイッチング周波数ｆｏｓｃは、第３状態（３）における場合よりも高くなる。
【００３６】
好適には、種々の状態（１）〜（４）の異なるスイッチング周波数ｆｏｓｃを、温度Ｔが変化しても式（１）の第２項が一定のままであるように規定する。
【００３７】
外部段のコンデンサＣ及び対応する外部基準コンデンサＣｒｅｆが、温度が変化したときに小さい偏移しか示さない高品質のコンデンサである場合、又はここに示すチャージポンプが、温度が安定である若しくは温度を安定にするために特別な手段がとられる譲許言うで用いられる場合、監視回路２０は、常に３ビットワード“０００”を発する。この場合、チャージポンプは、常に通常のスイッチング周波数ｆｏｓｃ（状態１）で作動する。
【００３８】
発振器１８は、最近の測定モード中にプログラムされた周波数を保持するように実現される。例えば、最近の測定モードが、温度の偏移がコンデンサの値に影響を及ぼさなかったことを示す場合、発振器１８は、現在のスイッチング周波数ｆｏｓｃ（状態１）を保持する。測定モード中に温度の偏移が検出されて３ビットワードが変化した場合のみ、スイッチング周波数ｆｏｓｃが変化する。
【００３９】
これまで示した実施の形態において、３個のコンパレータ１２．１〜１２．３により粗い格子が実現された。これは、多数のアプリケーションに対して十分である。少数のコンパレータしか用いられない場合、コンパレータの静的なオフセットを無視することができ、ラダー抵抗の不整合の誤りは影響を及ぼさない。スイッチＳｌｏａｄ及びＳｍｅｓｓによって生じたスイッチングスパイクは無視できる。
【００４０】
これまで説明した実施の形態を、必要に応じて変更することができる。例えば、更に密に監視するとともに外部基準キャパシタＣｒｅｆの両端間の電圧Ｖｃの変化を検出するために更に多くのコンパレータを用いることができる。
【００４１】
カウンタ及び論理ブロック１１を、多数の異なる方法で実現することができる。カウンタ及び論理ブロック１１は、所定の数までカウントアップするとともにスイッチＳｌｏａｄ及びＳｍｅｓｓをスイッチする出力部１１．１のスイッチング信号を発するハードウェアで実現したカウンタを具える。論理手段をカウンタ及び論理ブロック１１に含めることができ、その結果、このブロック１１を、例えばイネーブル信号を供給することによって起動することができる。これは、タイムアウト期間ｔｍを規定する柔軟性を顧客に与える。カウンタ及び論理ブロック１１を、既知のＶＨＤＬ言語を用いて表現／設計することができる。
【００４２】
ここで説明する監視回路２０の利点は、高オームラダー抵抗及びコンパレータの電流消費を非常に低いポイントに固定できることである。これは可能である。その理由は、コンパレータを迅速にスイッチングを行うように設計する必要がないからである。コンパレータをタイムアウト期間ｔｍ内で応答させれば十分である。したがって、監視回路２０全体は低電力回路となる。
【００４３】
本発明の他の実施の形態において、電流源１６をプログラム可能な電流源とすることができる。これによって、本発明による監視回路２０を、接続された外部基準キャパシタＣｒｅｆの種類及びサイズに応じてカスタマイズすることができる。これによって、監視回路２０を更に一般的にすることができる。監視回路２０を使用する顧客は、使用しようとするコンデンサを特定した後に電流源１６をプログラムすることができる。
【００４４】
以下の条件を満足する限り、外部段のコンデンサＣの値より小さい又は大きい値を有する外部基準コンデンサＣｒｅｆを用いることもできる。
Ｃｒｅｆ＝ｎＣ：ｎを整数とし、この場合における電流源１６から発生した電流Ｉは、Ｉ＝ｎＩとなり、又は、
Ｃｒｅｆ＝Ｃ／ｋ：ｋを整数とし、この場合における電流源１６から発生した電流Ｉは、Ｉ＝ｋＩとなる。
【００４５】
他の実施の形態を図５に示す。この図において、図示した装置４０は、Ｃｏｕｔ及びＲＬで表された負荷を駆動する出力部４１を有する多段チャージポンプ１０を具える。この出力部は、例えばディスプレイドライバチップの高電圧ポートに接続される。チャージポンプ１０は、ｍ段コンデンサＣを有する。ｍ利得段を具える。チャージポンプ１０は、チャージポンプ１０に印加される電源電圧Ｖｄｄより高い出力電圧Ｖｏｕｔを出力部４１に発生する。充電及び放電は、スイッチング周波数ｆｏｓｃを有するスイッチング信号によって制御されるスイッチ（例えば、ＭＯＳＦＥＴスイッチ）によって影響が及ぼされる。監視回路２０は、外部基準キャパシタＣｒｅｆの値の温度に起因する変化を監視するのに用いられる。外部段のキャパシタＣの値の変化によって生じるチャージポンプ１０の利得の変動を補償するためにスイッチング周波数ｆｏｓｃを調整する手段３０が存在する。外部基準コンデンサＣｒｅｆに対する外部段のコンデンサＣの電圧依存の影響は、監視回路２０の精度に対して無視しうる。
【００４６】
本発明を、スイッチング周波数の調整によって利得に影響が及ぼされてもよい全てのチャージポンプに関連して用いることができる。本発明は、Dicksonチャージポンプと組み合わせ又はその統合部として用いるのに非常に適している。
【００４７】
監視回路及びスイッチング周波数を調整する手段を有するチャージポンプは、ディスプレイドライバにおける使用に特に適している。本発明によれば、チャージポンプに接続された外部キャパシタＣの温度依存性を監視することができる手段を提供する。対応する監視手順が時々行われる。この監視手順の結果に基づいて、温度に起因する変化の補償が行われる。本発明によれば、これを、チャージポンプのスイッチング周波数を調整することによって行う。
【００４８】
新しく提案したアーキテクチャによって多くの外部コンデンサを必要とせず、コストが更に低減しないことが本発明の利点であると考えられる。さらに、外部段のキャパシタＣの内部ドライバを更に小さくするととともに更に少ない段のコンデンサＣに適合させることができるので、チップ領域を削減することができる。
【００４９】
本発明によるチャージポンプは、向上したパフォーマンスを有する。少ない外部コンデンサしか必要としないので、コストを削減することができる。本発明によれば、設置面積（チップ領域）を従来のチャージポンプに比べて減少することもできる。
【００５０】
新たなチャージポンプを、外部キャパシタの温度依存性を監視するとともに温度に起因する利得の損失を埋め合わせるためにスイッチング周波数を調整することによって実現することができる。
【００５１】
明瞭のために個別の実施の形態に関連して説明した本発明の種々の態様を、単一の実施の形態に組み合わせて設けることができる。それに対して、簡潔のために単一の実施の形態に関連して説明した本発明の種々の形態を、個別に又は任意のサブコンビネーションで用いることができる。
【００５２】
図面及び明細書において、本発明の好適な実施の形態を説明したが、特定の用語を用いたとしても、ここで与える説明は、一般的かつ表記的な意味で専門用語を用いる。
【図面の簡単な説明】
【００５３】
【図１】従来式のDicksonチャージポンプの線形ブロック図を示す。
【図２Ａ】本発明の実施の形態の第１部分の線形ブロック図を示す。
【図２Ｂ】図２Ａの実施の形態の他の部分の線形ブロック図を示す。
【図３】本発明によるローディングモード及び測定モードの例を示すタイミング図を示す。
【図４Ａ】温度Ｔ＝Ｔ０が一定に保持された場合の本発明による外部コンデンサの両端間の電圧を示す時間に対する電圧の図を示す。
【図４Ｂ】温度ＴがＴ１まで減少した場合の本発明による外部コンデンサの両端間の電圧を示す時間に対する電圧の図を示す。
【図４Ｃ】温度ＴがＴ２まで減少した場合の本発明による外部コンデンサの両端間の電圧を示す時間に対する電圧の図を示す。
【図４Ｄ】温度ＴがＴ３まで減少した場合の本発明による外部コンデンサの両端間の電圧を示す時間に対する電圧の図を示す。
【図５】本発明の装置の線形ブロック図を示す。
【図１】
2008527956.tif 000006
【図２Ａ】
2008527956.tif 000007
【図２Ｂ】
2008527956.tif 000008
【図３】
2008527956.tif 000009
【図４Ａ】
2008527956.tif 000010
【図４Ｂ】
2008527956.tif 000011
【図４Ｃ】
2008527956.tif 000012
【図４Ｄ】
2008527956.tif 000013
【図５】
2008527956.tif 000014
【国際調査報告】
2008527956.tif 000015
2008527956.tif 000016